(57)【特許請求の範囲】
【請求項１】
筐体と、ストラップと、保持部材とを備え、
前記筐体は、前記ストラップを前記筐体に接続する筐体側ストラップ取付部と、前記保持部材を前記筐体に接続し前記筐体側ストラップ取付部と間隔をおいて配置される保持部材取付部とを含み、
前記ストラップは、前記筐体の前記筐体側ストラップ取付部に接続するストラップ側筐体取付部と、前記ストラップ側筐体取付部に接続する本体部とを含み、
前記保持部材の側面形状は８の字状の弾性体であり、
前記保持部材は、前記筐体の前記保持部材取付部に接続する保持部材側筐体取付部と、前記保持部材側筐体取付部の一方端に接続されるとともに、前記ストラップの前記本体部を前記保持部材に接続する保持部材側ストラップ取付部と、前記保持部材側ストラップ取付部と接続されるとともに、前記保持部材側筐体取付部を内部に配置する二股部と、前記保持部材側筐体取付部の他方端と接続される引掛部と、前記二股部において前記引掛部を取り外し可能とする入口部とを含む、携帯型端末装置。
【請求項２】
前記筐体側ストラップ取付部と前記保持部材取付部とが、それぞれ前記筐体の外側面における一端と他端に配置されている、請求項１に記載の携帯型端末装置。
【請求項３】
前記保持部材側ストラップ取付部が、前記本体部の任意の場所で位置決め保持できる、請求項１または２に記載の携帯型端末装置。
【請求項４】
前記筐体の前記保持部材取付部と、前記保持部材の前記保持部材側筐体取付部との一方が磁性体で、他方が磁石である、請求項１〜３のいずれか１項に記載の携帯型端末装置。
【請求項５】
前記ストラップの前記本体部がループ状である、請求項１〜４のいずれか１項に記載の携帯型端末装置。
【請求項６】
前記保持部材が前記筐体および前記ストラップに対して着脱可能である、請求項１〜５のいずれか１項に記載の携帯型端末装置。
【請求項７】
前記筐体側ストラップ取付部を前記ストラップ側筐体取付部に接続する工程と、
前記保持部材側ストラップ取付部を前記本体部の所定の位置に接続する工程と、
前記保持部材取付部を前記保持部材側筐体取付部に接続する工程とを備えた、請求項１〜４に記載の携帯型端末装置の調整方法。
【請求項８】
前記保持部材側ストラップ取付部を前記本体部の所定の位置に接続する工程は、
介在物を前記筐体と前記ストラップとの間に配置する工程と、
前記保持部材の前記保持部材側ストラップ取付部が前記本体部に接続された位置を調整することにより、前記本体部の長さを調整する工程とを含む、請求項７に記載の携帯型端末装置の調整方法。
【発明の詳細な説明】
【技術分野】
【０００１】
この発明は、携帯型端末装置および該携帯型端末装置の調整方法に関し、より特定的には、携帯電話機などの携帯型情報通信端末の保持、固定、および落下防止に用いる携帯型端末装置および該携帯型端末装置の調整方法に関する。
【背景技術】
【０００２】
従来、携帯電話機などの携帯型情報通信端末では、携帯型情報通信端末の持ち運び・落下防止・手への固定などをするために、ハンドストラップやベルトストラップ等が用いられている。ハンドストラップは、筺体に取り付けるための取付部とループになっている保持部とを有している。携帯型情報通信端末は、端末における筺体にストラップの取付部を少なくとも１箇所備えており、その取付部にストラップの一端を取り付ける。持ち運び時には、たとえば取り付けたストラップを持つことにより、便利良く持ち運びができる。一方、ベルトストラップは、端末における筺体に取り付けるための取付部と使用者の着衣等に固定するクリップ部などを有している。たとえば、使用者の着衣等に固定するクリップ部を有しているベルトストラップの場合、ベルトストラップを介して端末を着衣等に固定できる。端末使用時には、たとえばループになった部分に手を通し、手または手首でストラップを保持し、端末落下等の不意の事故を防止する。
【０００３】
また、実開平５−３６８７９号公報（特許文献１）は、携帯型電子機器を開示している。携帯型電子機器は、端末側にストラップの取付部を２箇所有し、ストラップをその２箇所の取付部で取り付け、端末とストラップの間に手を入れることにより固定できるものとしている。
【０００４】
さらに、特開２０００−３６８６０号公報（特許文献２）は、無線電話用のキャリアを開示している。無線電話用のキャリアは、ストラップと筺体との間に勘合ファスナーを備えて、勘合ファスナーによりストラップの脱着を容易にしたものもある。
【特許文献１】実開平５−３６８７９号公報
【特許文献２】特開２０００−３６８６０号公報
【発明の開示】
【発明が解決しようとする課題】
【０００５】
しかしながら、従来のハンドストラップやベルトストラップ等のストラップは、筐体とストラップとの取り付け場所は１箇所である。取り付け場所が１箇所である場合、ストラップのループ部分に手を通し、手または手首でストラップを保持する。そのため、端末と手とを完全に固定できない。また、手または指で端末の筺体を固定するため、長時間にわたり使用する場合には、手または指の負担が大きくなる。また、ネックストラップなどのループ部分が長いものの場合、手または手首で端末の固定を行なうのは困難である。
【０００６】
また、ベルトストラップは、端末筺体にストラップ固定部としてサルカン部を有し、サルカン部にベルトを通して折り返し、マジックテープ（登録商標）等で固定する。そのため、ベルトの幅が大きい場合や、ベルトストラップを取り外す時には、端末筺体のサルカン部分が端末デザインの観点から不都合が増す。また、ベルトの幅により、取り付ける構造自体が大きくなる。さらに、ストラップを取り付けた状態での携帯端末の重量を増やすことにもなる。
【０００７】
また、上記特許文献１に開示の携帯型電子機器では、端末における筐体とストラップとの取り付け場所は２箇所である。取り付け場所が２箇所である場合、ストラップと端末における筺体との間に手を入れて端末を固定するため、手または指の負担は少ないが、端末における筺体側の面にストラップが常に沿った状態となっている。そのため、たとえば持ち運び時に、ストラップの利用が著しく制限される。また、ストラップを使用しない場合にはそのストラップが邪魔になる。
【０００８】
上記特許文献２に開示の無線電話用のキャリアは、ストラップと筺体との間に勘合ファスナーを備えて、ストラップの脱着を容易にしている。しかし、ストラップをはずした場合に、ストラップおよび筺体の双方に勘合ファスナーが残る。そのため、端末使用上、勘合ファスナーが邪魔となることがある。また、勘合ファスナーのサイズにより、取り付ける構造自体が大きくなる。さらに、ストラップを取り付けた状態での携帯端末の重量を増やすことにもなる。
【０００９】
この発明は、上記のような問題を解決するためになされたものであり、この発明の目的は、多機能化した携帯型情報通信端末やその使用者のニーズに応じて、容易に端末における筐体へのストラップの取り付け状態を変更することができる携帯型端末装置および該携帯型端末装置の調整方法を提供することにある。
【課題を解決するための手段】
【００１０】
本発明にしたがった携帯型端末装置は、筐体と、ストラップと、保持部材とを備えている。筐体は、ストラップを筐体に接続する筐体側ストラップ取付部と、保持部材を筐体に接続し筐体側ストラップ取付部と間隔をおいて配置される保持部材取付部とを含む。ストラップは、筐体の筐体側ストラップ取付部に接続するストラップ側筐体取付部と、ストラップ側筐体取付部に接続する本体部とを含む。保持部材の側面形状は８の字状の弾性体である。保持部材は、筐体の保持部材取付部に接続する保持部材側筐体取付部と、保持部材側筐体取付部の一方端に接続されるとともに、ストラップの本体部を保持部材に接続する保持部材側ストラップ取付部と、保持部材側ストラップ取付部と接続されるとともに、保持部材側筐体取付部を内部に配置する二股部と、保持部材側筐体取付部の他方端と接続される引掛部と、二股部において引掛部を取り外し可能とする入口部とを含む。
【００１１】
本発明の携帯型端末装置によれば、筐体側ストラップ取付部とストラップ側筐体取付部とを接続することにより、筐体とストラップとを接続できる。保持部材取付部と保持部材側筐体取付部とを接続することにより、筐体と保持部材とを接続できる。本体部と保持部材側ストラップ取付部とを接続することにより、ストラップと保持部材とを接続できる。そのため、携帯型端末装置の使用時には、保持部材を介して２箇所で接続される筐体とストラップとの間に、手、ベルト、または鞄等の取手部分等の介在物を通すことにより、筐体と介在物とを容易に取り付けて固定することができる。
【００１２】
また、ストラップと筐体とを保持部材１を介して２箇所で接続している状態において、保持部材を筐体から取り外せば、容易に筐体から介在物を抜き取ることができる。これにより、筐体と介在物とを容易に取り外すことができる。
【００１３】
さらに、携帯型端末装置の持ち運び時には、筐体側ストラップ取付部とストラップ側筐体取付部とを接続することにより、１箇所で筐体とストラップとが接続される。そのため、携帯型端末装置の外観を損なうことがないとともに、ストラップが邪魔にならない。
【００１４】
よって、多機能化した携帯型情報通信端末やその使用者のニーズに応じて、容易に携帯型端末装置における筐体へのストラップの取り付け状態を変更することができる。
【００１５】
なお、上記「接続」とは、筐体とストラップ、筐体と保持部材、ストラップと保持部材のそれぞれが、通常の状態では離脱しない状態を意味する。
【００１６】
上記携帯型端末装置において好ましくは、筐体側ストラップ取付部と保持部材取付部とが、それぞれ筐体の外側面における一端と他端に配置されている。
【００１７】
これにより、携帯型端末装置の使用時には、筐体の外側面の一端と他端とにおいてストラップは接続されている。そのため、筐体の大きさと略同一の大きさ以内の介在物を取り付けることおよび取り外すことができる。また、介在物を筐体に取り付けて固定する際に、安定性が増す。
【００１８】
また、携帯型端末装置の持ち運び時には、筐体の一端または他端のいずれか一方でストラップを接続することにより、１箇所で筐体とストラップとが接続される。そのため、外観を損なうことがないとともに、ストラップが邪魔にならない。
【００１９】
上記携帯型端末装置において好ましくは、保持部材側ストラップ取付部が、本体部の任意の場所で位置決め保持できる。
【００２０】
これにより、手、ベルト、または鞄等の取手部分等の介在物を筐体に取り付ける際に、保持部材側ストラップ取付部が位置決め保持される本体部の位置を調整することにより、介在物の形状、大きさ等を問わず、筐体と介在物とを所望の密着性で取り付けて固定することができる。また、携帯型端末装置の落下や使用時の手などの介在物の負担を軽減することができる。
【００２１】
上記携帯型端末装置において好ましくは、筐体の保持部材取付部と、保持部材の保持部材側筐体取付部との一方が磁性体で、他方が磁石である。
【００２２】
これにより、保持部材取付部と保持部材側筺体取付部とを、磁力により取り付けて固定することができる。そのため、容易に脱着することのできる磁性体および磁石をそれぞれ内蔵することにより、保持部材取付部および保持部材側取付部の構造をコンパクトにできる。よって、筺体の重量増加や、筐体のデザインへの影響を最小限に抑えることができる。
【００２３】
上記携帯型端末装置において好ましくは、ストラップの本体部がループ状である。ストラップのループ部分の長さが長い形状であるネックストラップなどについて、保持部材をループ部分の末端に移動させることにより、ストラップループ部分の長さが長くなったネックストラップなどの機能性・利便性を損なうことなく使用することができる。そのため、ネックストラップ等への本発明の適用も可能となる。よって、ストラップの形状を問わず本発明による携帯型端末装置を用いることができるので、バリエーションを増やすことができる。
【００２４】
上記携帯型端末装置において好ましくは、保持部材が筐体およびストラップに対して着脱可能である。
【００２５】
これにより、保持部材を筐体およびストラップから取り外すと、携帯型端末装置は、筐体とストラップのみから構成される。そのため、携帯型端末装置の持ち運び時には、外観上の影響を及ぼさない。
【００２６】
上記携帯型端末装置の調整方法は、筐体側ストラップ取付部をストラップ側筐体取付部に接続する工程と、保持部材側ストラップ取付部を本体部の所定の位置に接続する工程と、保持部材取付部を第保持部材側筐体取付部に接続する工程とを備えている。
【００２７】
これにより、筐体と、ストラップと、保持部材とをそれぞれ容易に接続することができる。
【００２８】
また、上記携帯型端末装置の調整方法において好ましくは、保持部材側ストラップ取付部を本体部の所定の位置に接続する工程は、介在物を筐体とストラップの間とに配置する工程と、保持部材の保持部材側ストラップ取付部が本体部に接続された位置を調整することにより、本体部の長さを調整する工程とを含む。
【００２９】
これにより、筐体と介在物とを容易に所望の密着性で取り付けて固定することができる。なお、「介在物」とは、筐体とストラップと保持部材とをそれぞれ接続した状態において筐体とストラップとの間に介在させて保持できるものを意味し、たとえば、手、ベルト、または鞄等の取手部分等などが挙げられる。
【発明の効果】
【００３０】
このように、本発明によれば、筐体側ストラップ取付部とストラップ側筐体取付部とを接続すること、保持部材取付部と保持部材側筐体取付部とを接続すること、および本体部と保持部材側ストラップ取付部とを接続することにより、筐体とストラップと保持部材とをそれぞれ接続することができる。そのため、多機能化した携帯型情報通信端末やその使用者のニーズに応じて、容易に端末における筐体へのストラップの取り付け状態を変更することができる。
【発明を実施するための最良の形態】
【００３１】
以下、図面に基づいて本発明の実施の形態を説明する。なお、以下の図面において同一または相当する部分には同一の参照符号を付し、その説明は繰り返さない。
【００３２】
（実施の形態１）
図１は、実施の形態１における携帯型端末装置を示す概略平面図である。図２は、実施の形態１における携帯型端末装置を構成するストラップと保持部材とを接続した状態を示す概略斜視図である。図３は、実施の形態１における携帯型端末装置を構成する保持部材の図であり、（Ａ）は概略斜視図であり、（Ｂ）は概略側面図であり、（Ｃ）は概略正面図であり、（Ｄ）は概略上面図である。図１〜３を参照して、本発明の実施の形態１における携帯型端末装置を説明する。
【００３３】
本発明の実施の形態１における携帯型端末装置２０は、図１に示すように、たとえば、筐体１０と、ストラップ７と、保持部材１とを備える。筐体１０は、ストラップ７を筐体１０に接続する筐体側ストラップ取付部１１と、保持部材１を筐体１０に接続し、筐体側ストラップ取付部１１と間隔をおいて配置される保持部材取付部１２とを含む。ストラップ７は、筐体１０の筐体側ストラップ取付部１１に接続するストラップ側筐体取付部８と、ストラップ側筐体取付部８に接続する本体部９とを含む。保持部材１は、筐体１０の保持部材取付部１２に接続する保持部材側筐体取付部２と、ストラップ７の本体部９を保持部材１に接続する保持部材側ストラップ取付部３とを含む。
【００３４】
ここで、筐体側ストラップ取付部１１は、リング状の外観を有するストラップ側筐体取付部８を挿通して固定することができる挿通孔が形成された突出部である。図１に示した筐体側ストラップ取付部１１は、逆Ｕ字型に湾曲した棒状体を筐体１０の上部に設置することにより形成されている。もちろん、筐体側ストラップ取付部１１としては、ストラップ側筐体取付部８を挿通固定できるような挿通孔を形成できれば、図１に示したような形状に限られず、任意の形状（たとえば、逆Ｖ字型に湾曲した棒状体を筐体１０の上部に設置する、あるいは筐体１０自体には突出部を形成せず、筐体１０に直接挿通孔を形成する、など）を採用できる。
【００３５】
また、保持部材取付部１２は保持部材側筐体取付部２を挿通して固定する挿通孔が形成された、筐体１０における部分であって、具体的には筐体１０の表面に形成された凹部と、当該凹部の内部において保持部材側筐体取付部２を係止可能な柱状体とからなる。もちろん、保持部材取付部１２の構造としては、他の任意の構造（たとえば図１に示した筐体側ストラップ取付部１１と同様の構造など）を採用できる。
【００３６】
実施の形態１では、図１に示すように、筐体１０は、第１の筐体１０ａと第２の筐体１０ｂとを有している。第１の筐体１０ａと第２の筐体１０ｂとは閉状態において互いに重なるように配置されている。
【００３７】
筐体１０において筐体側ストラップ取付部１１と保持部材取付部１２とが、それぞれ筐体１０の外側面（図１において第１の筐体１０ａ）における一端（図１において第１の筐体１０ａの上側）と他端（図１において第１の筐体１０ａの下側）に配置されている。
【００３８】
また、図２に示すように、ストラップ７は、ストラップ側筐体取付部８と、本体部９と、接続部７ａとを含んでいる。接続部７ａは、ストラップ側筐体取付部８と本体部９とを接続している。ストラップ側筐体取付部８は、ストラップ７の一方の端部に配置されている。ストラップ側筐体取付部８は、リング状としている。本体部９は、ループ状としている。
【００３９】
また、別の観点から言えば、ストラップ７のストラップ側筐体取付部８は、紐や樹脂など可撓性のある材料からなり、その形状がリング状である。また、ストラップ７の本体部９は、紐や樹脂など、可撓性があり、かつある程度の弾力性のある材料（可撓性材料あるいは弾性体）からなり、ループ状の外観を有している。本体部９とストラップ側筐体取付部８との接続部７ａは、本体部９とストラップ側筐体取付部８とを接続する部分であって、たとえば本体部９の端部とストラップ側筐体取付部８の端部とを、接着剤や機械的な係止構造によって固定する。たとえば、接続部７ａでは、本体部９の端部とストラップ側筐体取付部８の端部とが接着剤によって固定され、当該接着剤が配置された部分を覆うように外装材が被覆されていてもよい。
【００４０】
また、図３に示すように、保持部材１は、保持部材側筐体取付部２と、保持部材側ストラップ取付部３と、入口部４と、二股部５と、引掛部６とを有している。保持部材１は、保持部材側ストラップ取付部３が、本体部９の任意の場所で位置決め保持できる構造としている。また、保持部材１が筐体１０およびストラップ７に対して着脱可能な構造としている。
【００４１】
詳細には、保持部材１は、金属または樹脂等のバネ性のある材料（弾性体）から形成し、図３（Ｂ）に示した側面形状が８の字状であるクリップ状としている。保持部材側筐体取付部２と、保持部材側ストラップ取付部３と、二股部５とは連続成型（一体的に成形）されている。筐体取付部２は略３／４の円弧体（図３（Ｂ）に示した側面形状が中心角２７０°（３６０°の３／４）となる円弧になる円弧体）と、当該円弧体の一方端部に接続され、外観が直線状の棒体とからなる。筐体取付部２は、保持部材取付部１２と接続可能な形状（つまり筐体取付部２を保持部材取付部１２の挿通孔に挿入可能なサイズおよび形状）としている。保持部材側ストラップ取付部３は、その一方端が上記筐体取付部２の棒体の端部と接続された一方棒体と、当該一方棒体に一方端が接続された略１／２の円弧体（図３（Ｂ）に示した側面形状が中心角１８０°（３６０°の１／２）となる円弧になる円弧体）とからなる。一方棒体は直線状の外観を有する。保持部材側ストラップ取付部３は、ストラップ７が移動可能な形状としている。具体的には、図１に示すように、一方棒体、円弧体、後述する二股部５により囲まれた開口部にストラップ７の本体部９を挿入し、保持部材１に特に力を加えないときには開口部に挿入されたストラップ７の本体部９に対して保持部材１の相対的な位置は固定される（一方棒体、円弧体、二股部５が本体部９に食い込んだ状態になり、保持部材１は本体部９に対して固定される）。一方、開口部を広げるように保持部材１に力を加えると、開口部内をストラップ７の本体部９が自由に挿通できるので、保持部材１の本体部９に対する相対的な位置を任意に変更できる。
【００４２】
保持部材側ストラップ取付部３の一方棒体は、図３（Ｃ）に示すように円弧体側に向かうにつれてその幅が広くなり、円弧体は二股部５を形成可能な程度に幅が広くなっている。円弧体に接続される二股部５は、図３（Ｃ）（Ｄ）からも分かるように筐体取付部２の棒体をその間に挿入可能なように、２つの棒体が並列に並んだ部分である。つまり、図３（Ｂ）に示すように、側面から見ると二股部５と保持部材側筐体取付部２の棒体とは交差するように配置されている。当該２つの棒体の一方端は、保持部材側ストラップ取付部３の円弧体に接続されている。図３（Ａ）に示すように、二股部５の２つの棒体の他方端には、当該他方端を接続する入口部４が形成されている。入口部４は、二股部５において引掛部６を取り外し可能とする部分である。なお、引掛部６は筐体取付部２の円弧体の他方端部に接続され、二股部５の２つの棒体の間から入口部４に当接するように形成されている。この引掛部６と入口部４とは保持部材１に対して力を加えることで開閉可能な開閉部を構成する。
【００４３】
また、二股部５について異なる観点から言えば、二股部５は、保持部材側ストラップ取付部３の円弧体の先端と接続される部分から平面形状が四角形の中空を有するように二股に分かれ、入口部４で結合される。該中空は、保持部材側筐体取付部２および保持部材側ストラップ取付部３の棒体が挿入可能な形状であり、かつ、引掛け部６が挿入・係止可能な形状としている。引掛部６は、保持部材側筐体取付部２の円弧体の先端と接続され、棒体としている。引掛部６は、二股部５の中空の先端部で係止される。
【００４４】
次に、図４および図５を参照して、携帯型端末装置２０の動作について説明する。図４は、実施の形態１における携帯型端末装置２０において筐体１０とストラップ７と保持部材１とを接続している状態を示し、（Ａ）は、手を固定している状態を示す概略側面図であり、（Ｂ）は、ベルトを固定している状態を示す概略側面図である。図５は、実施の形態１における携帯型端末装置において筐体と保持部材とを接続する概略模式図である。
【００４５】
まず、筐体１０と保持部材１とを接続する動作について説明する。この動作では、保持部材取付部１２を保持部材側筐体取付部２に接続する工程を実施する。図５を参照して、保持部材１における保持部材側筐体取付部２の外周を、筐体１０における保持部材取付部１２へ押し当てる。そして、保持部材側筐体取付部２が入口部４から離れて保持部材側筐体取付部２と入口部４との間に隙間ができるように変形させたまま入口部４に向かって保持部材取付部１２を沿わすことにより、筐体１０における保持部材取付部１２が保持部材１の内部に入り込む。これにより、保持部材１を筐体１０における保持部材取付部１２へ取り付けることができる。
【００４６】
このとき、保持部材１において、保持部材側筺体取付部２と二股部５とは、入口部４と引掛部６を介して互いのバネ性を打ち消し合うため、入口部４および引掛部６はストッパの役割も果たす。また、引掛部６が二股部５の中空部分に入り込むことにより、使用者が意図しないときに、保持部材取付部１２から保持部材１が外れることを防ぐことができる。
【００４７】
なお、筐体１０と保持部材１との接続を解除する場合には、保持部材側筐体取付部２が入口部４から離れて保持部材側筐体取付部２と入口部４との間に隙間ができるように変形させたまま入口部４に向かって保持部材取付部１２を沿わす。そして、筐体１０の保持部材取付部１２を保持部材１の外部に出す。これにより、保持部材１を筐体１０の保持部材取付部１２から取り外すことができる。
【００４８】
次に、保持部材１とストラップ７とを接続する動作について説明する。この動作では、保持部材側ストラップ取付部３を本体部９の所定の位置に接続する工程を実施する。保持部材１において、使用者が手などで入口部４を内側に押すと、二股部５を介して保持部材側ストラップ取付部３が広がる方向に変形する。このときに、本体部９の末端を保持部材側ストラップ取付部３に通すことができる。この状態で入口部４を押すことをやめると、保持部材側ストラップ取付部３の形状が狭くなる。すると、本体部９を挟み込んだ状態で、本体部９は保持部材１に固定される。
【００４９】
また、使用者は入口部４を押して保持部材側ストラップ取付部３を緩めることにより、保持部材１を本体部９の任意の位置に移動することができる。これにより、本体部９において、保持部材１から本体部９の端部までの長さを、状況に応じた所望の長さに変更することができる。
【００５０】
次に、筐体１０とストラップ７とを接続する動作について説明する。この動作では、筐体側ストラップ取付部１１をストラップ側筐体取付部８に接続する工程を実施する。図１を参照して、筐体１０における筐体側ストラップ取付部１１のリングに、ストラップ側筐体取付部８を結びつける。これにより、筐体１０とストラップ７とを接続することができる。
【００５１】
次に、携帯型端末装置２０を介在物に取り付ける動作について説明する。図４（Ａ）および図４（Ｂ）を参照して、この動作は、保持部材側ストラップ取付部３を本体部９の所定の位置に接続する工程において、介在物を筐体１０とストラップ７の間に配置する工程と、保持部材１の保持部材側ストラップ取付部３が本体部９に接続された位置を調整することにより、本体部９の長さを調整する工程とを実施する。
【００５２】
図４（Ａ）を参照して、介在物として手１３を配置する動作について説明する。まず、筐体１０の一端（第１の筐体１０ａの上端）に取り付けたストラップ７を、使用者の手１３に通す。次いで、筐体１０における保持部材取付部１２に、本体部９の任意の部分に取り付けた保持部材１を取り付ける。そして、手１３を筐体１０と本体部９との間に通した状態で、保持部材１を本体部９の所望の位置に移動して長さを調整する。これにより、筐体１０に手１３を固定することができる。
【００５３】
また、図４（Ｂ）を参照して、介在物として衣服のベルト１７を配置する動作については、手１３の代わりにベルト１７を通す。その他は介在物として手１３を配置する動作と同様であるので、その説明は繰り返さない。
【００５４】
次に、携帯型端末装置２０を介在物から取り外す動作について説明する。この動作は、携帯型端末装置２０を介在物に取り付ける動作を逆の動作である。すなわち、保持部材取付部１２に取り付けた保持部材１を、保持部材取付部１２から外す。これにより、介在物を携帯型端末装置２０から取り外すことができるとともに、筐体１０と保持部材１との接続を解除できる。
【００５５】
この際、保持部材１をストラップ７から取り外すことも可能である。保持部材１をストラップ７から取り外すことにより、携帯型端末装置２０は、筐体１０とストラップ７とを備えることとなる。これにより、携帯型端末装置２０は、一般の使用者が携帯しているストラップ付き携帯型端末装置と同様の形態となる。
【００５６】
以上説明したように、本発明の実施の形態１における携帯型端末装置２０によれば、筐体側ストラップ取付部１１とストラップ側筐体取付部８とを接続することにより、筐体１０とストラップ７とを接続できる。保持部材取付部１２と保持部材側筐体取付部２とを接続することにより、筐体１０と保持部材１とを接続できる。本体部９と保持部材側ストラップ取付部３とを接続することにより、ストラップ７と保持部材１とを接続できる。そのため、携帯型端末装置２０の使用時には、２箇所で接続される筐体１０とストラップ７との間に、手１３またはベルト１７等の介在物を通す。これにより、筐体１０と介在物とを容易に取り付けて固定することができる。また、筐体１０の落下や、携帯型端末装置２０の使用時における手１３などの介在物の負担を軽減することができる。
【００５７】
また、介在物を筐体１０に取り付ける際に、保持部材側ストラップ取付部３における本体部９の位置を調整することにより、介在物の形状、大きさ等を問わず、筐体１０と介在物とを所望の密着性で取り付けて固定することができる。
【００５８】
さらに、ストラップ７と筐体１０とを保持部材１を介して２箇所で接続している状態において、保持部材１を筐体１０から取り外せば、容易に筐体１０から手１３やベルト１７などの介在物を抜き取ることができる。これにより、筐体１０と介在物とを容易に取り外すことができる。
【００５９】
さらには、携帯型端末装置２０の持ち運び時には、ストラップ７を筐体側ストラップ取付部１１とストラップ側筐体取付部８とを接続することにより、１箇所で筐体１０とストラップ７とが接続される。また、保持部材１は、ストラップ７に対して着脱可能であるので、ストラップ７から保持部材１を取り外すことができる。そのため、携帯型端末装置２０の外観を損なうことがないとともに、ストラップ７が邪魔にならない。
【００６０】
よって、本発明の実施の形態１における携帯型端末装置２０によれば、多機能化した携帯型情報通信端末やその使用者のニーズに応じて、容易に携帯型端末装置２０における筐体１０へのストラップ７の取り付け状態を変更することができる。
【００６１】
（実施の形態２）
図６は、本発明の実施の形態２における携帯型端末装置を示す概略斜視図である。図７は、実施の形態２における携帯型端末装置を構成するストラップと保持部材とを接続した状態を示す概略斜視図である。図８は、実施の形態２における携帯型端末装置を構成する保持部材を示し、（Ａ）は概略斜視図であり、（Ｂ）は概略上面図であり、（Ｃ）は概略底面図であり、（Ｄ）は概略側面図であり、（Ｅ）は別の概略側面図である。図６〜８を参照して、実施の形態２における携帯型端末装置の構成は、基本的には本発明の実施の形態１における携帯型端末装置２０と同様の構成を備えるが、保持部材の構造において、図１に示した携帯型端末装置２０と異なる。以下、異なる点を中心に説明する。
【００６２】
具体的には、図６に示すように、筐体１０の保持部材取付部１６と、保持部材１４の保持部材側筐体取付部１４ａとの一方が磁性体で、他方が磁石である。実施の形態２では、保持部材取付部１６を磁性体とし、保持部材側筐体取付部１４ａを磁石としている。
【００６３】
詳細には、図７および図８を参照して、保持部材１４は、本体部９上を任意の位置に移動して固定ができ、かつ、保持部材取付部１２に容易に脱着することのできる構造としている。実施の形態２では、保持部材１４は、ホルダー状としている。保持部材１４は、保持部材側筐体取付部１４ａと、ストラップ挿通孔１４ｂと、ボタン１５とを含んでいる。
【００６４】
保持部材側筐体取付部１４ａは、保持部材１４の底面に磁石を内蔵している。ストラップ挿通孔１４ｂは、保持部材１４の内側の上面に、バネを内設して、本体部９を挿通する。
【００６５】
ボタン１５は、保持部材１４の上面に設けられている。また、ボタン１５の下方にはボタン穴が設けられている。ボタン１５を保持部材１４側へ押した状態では、保持部材１４のストラップ挿通孔１４ｂとボタン１５のボタン穴の位置が一致する。この際、本体部９上を保持部材１４が任意の位置に移動できる。一方、ボタン１５を押さない状態では、バネによりボタン１５が持ち上げられる。そのため、保持部材１４においてストラップ挿通孔１４ｂとボタン１５のボタン穴の位置がずれて狭くなり、本体部９が挟み込まれて固定される。したがって、使用者は保持部材１４の上面にあるボタン１５を押して、保持部材１４においてストラップ挿通孔１４ｂとボタン１５のボタン穴を一致させて、本体部９の締め付けを緩めることにより、保持部材１４を本体部９の任意の位置に移動することができる。これにより、状況に応じて本体部９における保持部材１４から本体部９の末端までの長さを調整することができる。
【００６６】
また、筐体１０の外側面の一端（図６において第１の筐体１０ａの下側）に保持部材取付部１６を備えている。保持部材取付部１６は、たとえば、バッテリーパック収納部分などの筐体１０の平面部分に設けている。保持部材取付部１６は、磁性体としている。保持部材取付部１６は、磁性体として、たとえば鉄などの金属を用いている。なお、磁性体は特にこれに限定されず、磁石に引き寄せられる性質を有していれば他の材料からなるものを用いてもよい。
【００６７】
次に、図９を参照して、携帯型端末装置２０の動作について説明する。図９は、実施の形態２における携帯型端末装置３０において筐体１０とストラップ７と保持部材１４とを接続している状態を示し、（Ａ）は、手を固定している状態を示す概略側面図であり、（Ｂ）は、ベルトを固定している状態を示す概略側面図である。
【００６８】
まず、筐体１０と保持部材１４とを接続する動作について説明する。この動作では、保持部材取付部１６を保持部材側筐体取付部１４ａに接続する工程を実施する。この工程では、筐体１０における保持部材取付部１６に、保持部材１４における保持部材側筐体取付部１４ａを近づける。すると、保持部材取付部１６の磁性体と保持部材側筐体取付部１４ａの磁石が磁力により引き寄せられて接続する。これにより、筐体１０と保持部材１４とを接続できる。
【００６９】
なお、筐体１０と保持部材１４との接続を解除する場合には、筐体１０における保持部材取付部１６と、保持部材１４における保持部材側筐体取付部１４ａとを引き離す程度の力を加える。すると、磁力により接続されていた保持部材取付部１６の磁性体と保持部材側筐体取付部１４ａの磁石が離れる。これにより、保持部材１４を筐体１０の保持部材取付部１６から取り外すことができる。
【００７０】
次に、保持部材１４とストラップ７とを接続する動作について説明する。この動作では、保持部材側ストラップ取付部３を本体部９の所定の位置に接続する工程を実施する。上述したようにボタン１５を押すことにより、保持部材１４は、ストラップ７における本体部９を任意の場所で位置決め保持する。これにより、保持部材１４とストラップ７とを接続することができる。
【００７１】
また、筐体１０とストラップ７とを接続する動作については、実施の形態１における筐体とストラップとの接続する動作と同様であるので、その説明は繰り返さない。
【００７２】
次に、携帯型端末装置３０を介在物に取り付ける動作について説明する。図９（Ａ）および図９（Ｂ）を参照して、この動作は、保持部材側ストラップ取付部３を本体部９の所定の位置に接続する工程において、介在物を筐体１０とストラップ７との間に配置する工程と、保持部材１の保持部材側ストラップ取付部３が本体部９に接続された位置を調整することにより、本体部９の長さを調整する工程とを実施する。
【００７３】
図９（Ａ）を参照して、介在物として手１３を配置する動作について説明する。基本的には実施の形態１における携帯型端末装置２０と同様であるが、本体部９を保持部材１４のボタン１５により所望の位置に移動して長さを調整する点のみ異なる。そのため、その説明は繰り返さない。
【００７４】
また、図９（Ｂ）を参照して、介在物として衣服のベルト１７を配置する動作については、手１３の代わりにベルト１７を通す。その他は介在物として手１３を配置する動作と同様であるので、その説明は繰り返さない。
【００７５】
また、携帯型端末装置３０を介在物から取り外す動作については、実施の形態１と同様であるので、その説明は繰り返さない。
【００７６】
以上説明したように、本発明の実施の形態２における携帯型端末装置３０によれば、筐体１０の保持部材取付部１２と、保持部材１４の保持部材側筐体取付部１４ａとの一方が磁性体で、他方が磁石である。そのため、保持部材取付部１２と保持部材側筺体取付部１４ａとを磁力により取り付けて固定することができる。よって、容易に脱着することのできる磁性体および磁石を内蔵することにより、保持部材取付部および保持部材側取付部の構造をコンパクトにできる。
【００７７】
また、筺体の重量増加や、筐体のデザインへの影響を最小限に抑えることができる。さらに、携帯型端末装置３０の外観上のバリエーションを増やすことができる。
【００７８】
今回開示された実施の形態はすべての点で例示であって制限的なものではないと考えられるべきである。本発明の範囲は上記した実施の形態ではなくて特許請求の範囲によって示され、特許請求の範囲と均等な意味および範囲内でのすべての変更点が含まれることが意図される。
【図面の簡単な説明】
【００７９】
【図１】実施の形態１における携帯型端末装置を示す概略平面図である。
【図２】実施の形態１における携帯型端末装置を構成するストラップと保持部材とを接続した状態を示す概略斜視図である。
【図３】実施の形態１における携帯型端末装置を構成する保持部材の図であり、（Ａ）は概略斜視図であり、（Ｂ）は概略側面図であり、（Ｃ）は概略正面図であり、（Ｄ）は概略上面図である。
【図４】実施の形態１における携帯型端末装置において筐体とストラップと保持部材とを接続している状態を示し、（Ａ）は、手を固定している状態を示す概略側面図であり、（Ｂ）は、ベルトを固定している状態を示す概略側面図である。
【図５】実施の形態１における携帯型端末装置において筐体と保持部材とを接続する概略模式図である。
【図６】本発明の実施の形態２における携帯型端末装置を示す概略斜視図である。
【図７】実施の形態２における携帯型端末装置を構成するストラップと保持部材とを接続した状態を示す概略斜視図である。
【図８】実施の形態２における携帯型端末装置を構成する保持部材を示し、（Ａ）は概略斜視図であり、（Ｂ）は概略上面図であり、（Ｃ）は概略底面図であり、（Ｄ）は概略側面図であり、（Ｅ）は別の概略側面図である。
【図９】実施の形態２における携帯型端末装置において筐体とストラップと保持部材とを接続している状態を示し、（Ａ）は、手を固定している状態を示す概略側面図であり、（Ｂ）は、ベルトを固定している状態を示す概略側面図である。
【符号の説明】
【００８０】
１，１４  保持部材、２  保持部材側筐体取付部、３  保持部材側ストラップ取付部、４  入口部、５  二股部、６  引掛部、７  ストラップ、７ａ  接続部、８  ストラップ側筐体取付部、９  本体部、１０  筐体、１０ａ  第１の筐体、１０ｂ  第２の筐体、１１  筐体側ストラップ取付部、１２，１６  保持部材取付部、１３  手、１４ａ  保持部材側筺体取付部、１４ｂ  ストラップ挿通孔、１５  ボタン、１７  ベルト、２０，３０  携帯型端末装置。
【図１】
0004446941.tif 000002
【図２】
0004446941.tif 000003
【図３】
0004446941.tif 000004
【図４】
0004446941.tif 000005
【図５】
0004446941.tif 000006
【図６】
0004446941.tif 000007
【図７】
0004446941.tif 000008
【図８】
0004446941.tif 000009
【図９】
0004446941.tif 000010